【事件の表示】
　特願２０１４−１８５４７５号「遊技機」拒絶査定不服審判事件〔平成２８年　４月２１日出願公開、特開２０１６−　５５０５４号〕について、次のとおり審決する。
【結　論】
　本件審判の請求は、成り立たない。
【理　由】
第１　手続の経緯
　本願は、平成２６年９月１１日の出願であって、平成２９年１月１０日付けで拒絶の理由が通知され、平成２９年３月１５日に意見書及び手続補正書が提出されたところ、平成２９年５月１６日付けで拒絶査定がなされ、それに対して、平成２９年９月５日に拒絶査定不服審判の請求がなされると同時に特許請求の範囲に係る手続補正がなされたものである。
第２　平成２９年９月５日付けの手続補正についての補正却下の決定
[補正却下の決定の結論］
　平成２９年９月５日付けの手続補正（以下「本件補正」という。）を却下する。
［理由］
１　補正の内容
　本件補正は、特許請求の範囲を補正する内容を含んでおり、本件補正により、特許請求の範囲の請求項１は、
「【請求項１】
　基板側コネクタが設けられた回路基板と、
　前記回路基板を収納する基板ケースと、
　前記基板ケースに形成され、前記基板側コネクタを露呈させる開口と、
　保護チューブ内に挿通されたハーネスの先端に設けられ、前記開口を介して前記基板側コネクタと係合されるハーネス側コネクタと、
　前記基板側コネクタと前記ハーネス側コネクタとの係合部、及び、前記保護チューブの先端と前記ハーネス側コネクタとの間から露呈した前記ハーネスの先端部を覆うように前記基板ケースに取り付けられる封印カバーとを備え、
　前記ハーネス側コネクタは、先端部を回路基板へ向けた状態で前記基板側コネクタに係合されており、前記係合を解除する際には、前記回路基板から略垂直に遠ざかる方向である係合解除方向に移動され、
　前記封印カバーと前記回路基板との間には、前記封印カバーの内部から前記封印カバーの外部へ向かう前記ハーネスが通るための隙間が形成され、
　前記ハーネスは、先端部が前記ハーネス側コネクタの後端部に接続されており、前記ハーネス側コネクタの後端部から前記隙間へ向けて前記係合解除方向とは反対の前記回路基板へ向かう経路を経由し、前記隙間を介して前記封印カバーの外部に露呈されることを特徴とする遊技機。」
から、
「【請求項１】
Ａ　基板側コネクタが設けられた回路基板と、
Ｂ　前記回路基板を収納する基板ケースと、
Ｃ　前記基板ケースに形成され、前記基板側コネクタを露呈させる開口と、
Ｄ　保護チューブ内に挿通されたハーネスの先端に設けられ、前記開口を介して前記基板側コネクタと係合されるハーネス側コネクタと、
Ｅ　前記基板側コネクタと前記ハーネス側コネクタとの係合部、及び、前記保護チューブの先端と前記ハーネス側コネクタとの間から露呈した前記ハーネスの先端部を覆うように前記基板ケースに取り付けられる封印カバーとを備え、
Ｆ　前記ハーネス側コネクタは、先端部を回路基板へ向けた状態で前記基板側コネクタに係合されており、前記係合を解除する際には、前記回路基板から略垂直に遠ざかる方向である係合解除方向に移動され、
Ｇ　前記封印カバーと前記回路基板との間には、前記封印カバーの内部から前記封印カバーの外部へ向かう前記ハーネスが通るための隙間が形成され、
Ｈ　前記ハーネスは、先端部が前記ハーネス側コネクタの後端部に接続されており、前記ハーネス側コネクタの後端部から前記隙間へ向けて前記係合解除方向とは反対の前記回路基板へ向かう経路を経由し、前記隙間を介して前記封印カバーの外部に露呈され
、
Ｉ　
前記隙間は、前記基板ケースの背面から前記回路基板側へ向けて一段窪むように形成されたコネクタ露呈部内に設けられ、
Ｊ　
前記ハーネスは、前記隙間を介して前記封印カバーの外部に露呈された後、前記コネクタ露呈部から脱するために、前記回路基板から略垂直に遠ざかる方向へ向かう経路を経由し、前記コネクタ露呈部の外部に露呈され
に補正された（下線は、補正箇所を明示するために審決にて付した。また、当審においてＡ〜Ｊに分説した。）。
２　補正の適否について
　上記補正は、補正前の請求項１に記載した発明を特定するために必要な事項である「隙間」に関して、「前記基板ケースの背面から前記回路基板側へ向けて一段窪むように形成されたコネクタ露呈部内に設けられ、」と限定し、「ハーネス」に関して、「前記隙間を介して前記封印カバーの外部に露呈された後、前記コネクタ露呈部から脱するために、前記回路基板から略垂直に遠ざかる方向へ向かう経路を経由し、前記コネクタ露呈部の外部に露呈され」と限定するものであって、かつ、補正前の請求項に記載された発明と補正後の請求項に記載された発明の産業上の利用分野及び解決しようとする課題が同一であるので、特許法第１７条の２第５項第２号の特許請求の範囲の減縮を目的とするものである。
　そして、本件補正は、新規事項を追加するものではない。
３　独立特許要件
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
（１）刊行物１
　本願の出願前に頒布された特開２０１３−２２６２９６号公報（以下「刊行物１」という。）には、図面とともに以下の事項が記載されている。
（１−ａ）「【要約】
【課題】基板ボックスの
コネクタ接続部への不正なアクセスを有効に防止
【解決手段】コネクタカバー３６０がコネクタ収容室２６０をカバーし、裏面側でコネクタ収容室２６０の底壁２５７に係止されて封止状態となる。コネクタカバー３６０の裏面には剛性ブロック部３９０が形成され、ソケット４８に接続されたコネクタ８１とケーブル引出し口８５間のケーブル８０の経路をＳ字状に規制するので、針金などを使用してもケーブル引出し口８５から直接コネクタ接続部にアクセスすることができない。」
（１−ｂ）「【００１２】
　次に
本発明をスロットマシンに適用
（１−ｃ）「【００１６】
　
主制御装置２２には後述のソケット４５（図８参照）、４８（図４７参照）が設けられ
ソケット４８には表示制御装置等のサブ基板に向けてコマンド信号を送るケーブル８０のコネクタ８１（図４７参照）が挿し込まれて接続される
　ソケット４５まわりのコネクタ接続部ＣＯＮ１には、主制御装置２２から可動ベース部１００に跨って当該部位をカバーするコネクタカバー３００が取り付けられる。
　ソケット４８まわりのコネクタ接続部ＣＯＮ２には、主制御装置２２に当該部位をカバーするコネクタカバー３６０が取り付けられる。
　なお、主制御装置２２にはソケット４５、４８以外にもソケットが設けられているが、不正アクセスによって制御に影響を受けるのを防止するためコネクタカバーが取り付けられるもののみ挙げておく。
【００１７】
　
主制御装置２２は、後述する表裏一対の第１ボックス２００と第２ボックス２０１によって構成される横長の矩形状の基板ボックス３０と、この基板ボックス３０内に収容される平板形状の主基板２３（後掲の図１１参照）とからなっている
（１−ｄ）「【００９８】
　次に、先の図８に戻って、
基板ボックス３０の前壁３１にはソケット４５のコネクタ接続部ＣＯＮ１に隣接した内側に、下端壁３４に沿って矩形凹部２０８が形成されている
　ここで、下端壁３４は第１ボックス２００の下端壁２０６と第２ボックス２０１の下端壁２０７を突き合わせて構成されている（図９参照）。なお、下端壁２０６から外部には連結部２９７が延びて第１の封止結合部７０を構成するアッパブラケットを支持している（後掲の図３１参照）。
　後掲の図３０以下に示すように、矩形凹部２０８の下壁は前壁３１に対して垂直な下端壁２０６の上面である一方、上壁２５５は前壁３１に向かって上方に傾斜している。
　
この矩形凹部２０８内は左右方向３区画に分割され、中央の区画が前述のソケット４８にかかるコネクタ接続部ＣＯＮ２となっている
【００９９】
　・・・
図３０に示すように、
ソケット４８にかかるコネクタ接続部ＣＯＮ２には、ソケット挿通穴２５６を上壁２６１、下壁２６３、側壁２６２および側壁２６４の４壁で囲むコネクタ収容室２６０が形成されている
（１−ｅ）「【０１１９】
　・・・
コネクタカバー３６０は樹脂製で、基板ボックス３０のカバー嵌め込み領域２６７に整合する矩形をなすベース３６５の裏面に後述の係止片を備えて構成されている。ベース３６５はスリット３６３により左右方向で長尺の第１部３６１と短尺の第２部３６２に２分割され
（１−ｆ）「【０１２７】
　
第１部３６１の左端部には、剛性ブロック部３９０が設けられ
（１−ｇ）「【０１３９】
　上述した
矩形凹部２０８のコネクタ接続部ＣＯＮ２においては、基板ボックス３０内の基板からソケット挿通穴２５６を貫通してコネクタ収容室２６０に臨むソケット４８に、ケーブル８０のコネクタ８１を挿し込んで接続
（１−ｈ）「【０１４６】
　
コネクタカバー３６０、とくに第１部３６１の裏面はソケット４８に接続されたコネクタ８１の上部を囲む凹部３９９となっている
　また、コネクタ８１は前方へ延びる係止プレート８２を備えており、
コネクタ８１のソケット４８への挿し込みが不十分で接続が正規状態でないときは、凹部３９９の底壁３９９ａに設けられたコネクタ押さえ４００がコネクタ８１の係止プレート８２に当接して押し込むので、コネクタ接続が十分でないときでもコネクタカバー３６０の取り付けによって同時に正規の接続状態が実現される
（１−ｉ）「【０１５０】
　・・・
コネクタ８１の前面から延びるケーブル８０は、コネクタカバー３６０の凹部３９９の底面３９９ａで進路を曲げられてコネクタ収容室２６０の凹部２７８へ向かう。そして、ケーブル８０は凹部２７８の凹部底２７８ａと剛性ブロック部３９０における右壁３９２の底部３９３との間隙を抜けて、側壁２６４とコネクタカバー３６０間のケーブル引出し口８５から外部へ引き出される
【０１５１】
　コネクタカバー３６０がコネクタ接続部ＣＯＮ２のカバー嵌め込み領域２６７に嵌め込まれたこの状態では、
ケーブル８０は剛性ブロック部３９０により経路を規制されてＳ字状にコネクタ８１に接続しているので、針金などを使用してもケーブル引出し口８５から直接ケーブル８０とコネクタ８１の接続部やコネクタ８１とソケット４８の接続部にアクセスすることができない
（１−ｊ）「【０１６３】
　一方、
ソケット４８にかかるコネクタ接続部ＣＯＮ２では、矩形凹部２０８内の奥まった位置にコネクタ収容室２６０を設定し、カバー嵌め込み領域２６７に取り付けられたコネクタカバー３６０の前面も基板ボックス３０の前壁３１から後退している
（１−ｋ）段落【００１６】には、「主制御装置２２には後述のソケット４５（図８参照）、４８（図４７参照）が設けられ」と記載され、段落【００１７】には、「主制御装置２２は、後述する表裏一対の第１ボックス２００と第２ボックス２０１によって構成される横長の矩形状の基板ボックス３０と、この基板ボックス３０内に収容される平板形状の主基板２３（後掲の図１１参照）とからなっている」と記載され、図４７には、ソケット４８が主基板２３に接続されることが図示されているから、刊行物１には、
ソケット４８が設けられた主基板２３
主基板２３を収容する基板ボックス３０
（１−ｌ）段落【００９８】には、「基板ボックス３０の前壁３１にはソケット４５のコネクタ接続部ＣＯＮ１に隣接した内側に、下端壁３４に沿って矩形凹部２０８が形成されている」と記載され、段落【０１３９】には、「矩形凹部２０８のコネクタ接続部ＣＯＮ２においては、基板ボックス３０内の基板からソケット挿通穴２５６を貫通してコネクタ収容室２６０に臨むソケット４８に、ケーブル８０のコネクタ８１を挿し込んで接続」と記載されていることから、刊行物１には、
基板ボックス３０に形成され、ソケット４８を基板ボックス３０内から貫通するソケット挿通穴２５６
（１−ｍ）段落【０１３９】には、「ソケット挿通穴２５６を貫通してコネクタ収容室２６０に臨むソケット４８に、ケーブル８０のコネクタ８１を挿し込んで接続」と記載され、図４７にはケーブル８０の先端に接続されたコネクタ８１がソケット挿通穴２５６を通ってソケット４８と接続されることが図示されていることから、刊行物１には、
ケーブルの８０の先端に設けられ、ソケット挿通穴２５６を通ってソケット４８に接続されるコネクタ８１
（１−ｎ）段落【００９８】には、「基板ボックス３０の前壁３１にはソケット４５のコネクタ接続部ＣＯＮ１に隣接した内側に、下端壁３４に沿って矩形凹部２０８が形成されている」と記載され、段落【０１３９】には、「矩形凹部２０８のコネクタ接続部ＣＯＮ２においては、基板ボックス３０内の基板からソケット挿通穴２５６を貫通してコネクタ収容室２６０に臨むソケット４８に、ケーブル８０のコネクタ８１を挿し込んで接続し、そのあと、コネクタカバー３６０を取り付ける」と記載され、段落【０１４６】には、「コネクタカバー３６０、とくに第１部３６１の裏面はソケット４８に接続されたコネクタ８１の上部を囲む凹部３９９となっている」と記載され、図４７には、ソケット４８とコネクタ８１の接続部、及び、ケーブル８０の先端部がコネクタカバー３６０で覆われることが図示されていることから、刊行物１には、
ソケット４８とコネクタ８１の接続部、及び、ケーブル８０の先端部を覆うように、基板ボックス３０に取付けられるコネクタカバー３６０
（１−ｏ）段落【０１４６】には、「コネクタ８１のソケット４８への挿し込みが不十分で接続が正規状態でないときは、凹部３９９の底壁３９９ａに設けられたコネクタ押さえ４００がコネクタ８１の係止プレート８２に当接して押し込むので、コネクタ接続が十分でないときでもコネクタカバー３６０の取り付けによって同時に正規の接続状態が実現される」と記載され、図４７には、コネクタ８１が先端部を主基板２３に向けた状態でソケット４８に接続されること、コネクタ押さえ４００が主基板２３とは反対の方向から主基板２３に向かって略垂直方向にコネクタ８１に当接することが図示されていることから、刊行物１には、
コネクタ８１は、先端部を主基板２３に向けた状態でソケット４８に接続され、コネクタ８１は、主基板２３とは反対の方向から主基板２３に向かって略垂直方向に押し込まれることよりソケット４８に接続されること
（１−ｐ）段落【０１１９】には、「コネクタカバー３６０は樹脂製で、基板ボックス３０のカバー嵌め込み領域２６７に整合する矩形をなすベース３６５の裏面に後述の係止片を備えて構成されている。ベース３６５はスリット３６３により左右方向で長尺の第１部３６１と短尺の第２部３６２に２分割され」と記載され、段落【０１２７】には、「第１部３６１の左端部には、剛性ブロック部３９０が設けられ」と記載され、段落【０１５０】には、「ケーブル８０は凹部２７８の凹部底２７８ａと剛性ブロック部３９０における右壁３９２の底部３９３との間隙を抜けて、側壁２６４とコネクタカバー３６０間のケーブル引出し口８５から外部へ引き出される」と記載されている。すなわち、コネクタカバー３６０の一部である底部３９３と凹部底２７８ａとの間隙を抜けて、ケーブル８０が外部へ引き出されることが記載されている。
　また、図４７には、コネクタカバー３６０の底部３９３と凹部底２７８ａとの間隙は、コネクタカバー３６０と主基板２３との間に設けられることが図示されているから、刊行物１には、
コネクタカバー３６０と主基板２３との間には、コネクタカバー３６０の外部へケーブル８０を引き出す際に通る間隙が形成されること
（１−ｑ）段落【０１５０】には、「コネクタ８１の前面から延びるケーブル８０は、コネクタカバー３６０の凹部３９９の底面３９９ａで進路を曲げられてコネクタ収容室２６０の凹部２７８へ向かう。そして、ケーブル８０は凹部２７８の凹部底２７８ａと剛性ブロック部３９０における右壁３９２の底部３９３との間隙を抜けて、側壁２６４とコネクタカバー３６０間のケーブル引出し口８５から外部へ引き出される」と記載され、段落【０１５１】には、「ケーブル８０は剛性ブロック部３９０により経路を規制されてＳ字状にコネクタ８１に接続」と記載され、図４７には、ケーブル８０の先端部にコネクタ８１が接続されること、ケーブル８０がコネクタ８１から主基板２３側に向かう経路で凹部底２７８ａと底部３９３との間隙を抜けてコネクタカバー３６０の外部に出ることが図示されていることから、刊行物１には、
ケーブル８０は先端部がコネクタ８１の前面に接続されており、コネクタ８１の前面から主基板２３へ向かう経路で間隙を抜けてコネクタカバー３６０の外部に出ること
（１−ｒ）段落【０１５０】には、「コネクタ８１の前面から延びるケーブル８０は、コネクタカバー３６０の凹部３９９の底面３９９ａで進路を曲げられてコネクタ収容室２６０の凹部２７８へ向かう。そして、ケーブル８０は凹部２７８の凹部底２７８ａと剛性ブロック部３９０における右壁３９２の底部３９３との間隙を抜けて、側壁２６４とコネクタカバー３６０間のケーブル引出し口８５から外部へ引き出される」と記載されている。
　また、段落【００９８】には、「基板ボックス３０の前壁３１にはソケット４５のコネクタ接続部ＣＯＮ１に隣接した内側に、下端壁３４に沿って矩形凹部２０８が形成されている。・・・この矩形凹部２０８内は左右方向３区画に分割され、中央の区画が前述のソケット４８にかかるコネクタ接続部ＣＯＮ２となっている。」と記載され、段落【００９９】には、「ソケット４８にかかるコネクタ接続部ＣＯＮ２には、ソケット挿通穴２５６を上壁２６１、下壁２６３、側壁２６２および側壁２６４の４壁で囲むコネクタ収容室２６０が形成されている」と記載され、段落【０１６３】には、「ソケット４８にかかるコネクタ接続部ＣＯＮ２では、矩形凹部２０８内の奥まった位置にコネクタ収容室２６０を設定し、カバー嵌め込み領域２６７に取り付けられたコネクタカバー３６０の前面も基板ボックス３０の前壁３１から後退している」と記載され、図８には、矩形凹部２０８が基板ボックス３０の前壁３１から基板ボックス３０の内部に向けて一段下がるように形成される点が図示されているから、刊行物１には、
間隙は、基板ボックス３０の前壁３１から基板ボックス３０の内部に向けて一段下がるように形成された矩形凹部２０８のコネクタ収容室２６０に設けられること
（１−ｓ）段落【００１２】には、「本発明をスロットマシンに適用」と記載され、段落【０１５０】には、「コネクタ８１の前面から延びるケーブル８０は、コネクタカバー３６０の凹部３９９の底面３９９ａで進路を曲げられてコネクタ収容室２６０の凹部２７８へ向かう。そして、ケーブル８０は凹部２７８の凹部底２７８ａと剛性ブロック部３９０における右壁３９２の底部３９３との間隙を抜けて、側壁２６４とコネクタカバー３６０間のケーブル引出し口８５から外部へ引き出される」と記載され、段落【０１５１】には、「ケーブル８０は剛性ブロック部３９０により経路を規制されてＳ字状にコネクタ８１に接続」と記載され、図４７には、ケーブル８０がコネクタ８１から凹部底２７８ａと底部３９３との間隙を抜けてコネクタカバー３６０の外部に出た後、間隙から略垂直に主基板２３から離れるＳ字状の経路でコネクタ収容室２６０の外部に向かうことが図示されている。
　また、段落【００１６】には、「ソケット４８には表示制御装置等のサブ基板に向けてコマンド信号を送るケーブル８０のコネクタ８１（図４７参照）が挿し込まれて接続される」との記載があり、ソケット４８に接続されたコネクタ８１のケーブル８０は表示制御装置等の他のサブ基板に向かうことが記載されている。
　よって、刊行物１には、
ケーブル８０は、間隙からコネクタカバー３６０の外部に出た後、略垂直に主基板２３から離れる方向で矩形凹部２０８内のコネクタ収容室２６０の外部に出て、その後、表示制御装置等の他のサブ基板に向かう、スロットマシン
　上記（１−ａ）〜（１−ｊ）の記載事項及び（１−ｋ）〜（１−ｓ）の認定事項を総合すると、刊行物１には、次の発明が記載されていると認められる（以下「刊行物１発明」という。）。
「ａ　ソケット４８が設けられた主基板２３と（認定事項（１−ｋ））、
ｂ　主基板２３を収容する基板ボックス３０（認定事項（１−ｋ））と、
ｃ　基板ボックス３０に形成され、ソケット４８を基板ボックス３０内から貫通するソケット挿通穴２５６と（認定事項（１−ｌ））、
ｄ　ケーブルの８０の先端に設けられ、ソケット挿通穴２５６を通ってソケット４８に接続されるコネクタ８１と（認定事項（１−ｍ））、
ｅ　ソケット４８とコネクタ８１の接続部、及び、ケーブル８０の先端部を覆うように、基板ボックス３０に取付けられるコネクタカバー３６０と（認定事項（１−ｎ））、
ｆ　コネクタ８１は、先端部を主基板２３に向けた状態でソケット４８に接続され、コネクタ８１は、主基板２３とは反対の方向から主基板２３に向かって略垂直方向に押し込まれることよりソケット４８に接続され（認定事項（１−ｏ））、
ｇ　コネクタカバー３６０と主基板２３との間には、コネクタカバー３６０の外部へケーブル８０を引き出す際に通る間隙が形成され（認定事項（１−ｐ））、
ｈ　ケーブル８０は先端部がコネクタ８１の前面に接続されており、コネクタ８１の前面から主基板２３へ向かう経路で間隙を抜けてコネクタカバー３６０の外部に出て（認定事項（１−ｑ））、
ｉ　間隙は、基板ボックス３０の前壁３１から基板ボックス３０の内部に向けて一段下がるように形成された矩形凹部２０８のコネクタ収容室２６０に設けられ（認定事項（１−ｒ））、
ｊ　ケーブル８０は、間隙からコネクタカバー３６０の外部に出た後、略垂直に主基板２３から離れる方向で矩形凹部２０８内のコネクタ収容室２６０の外部に出て、その後、表示制御装置等の他のサブ基板に向かう、スロットマシン（認定事項（１−ｓ））。」
（２）刊行物２
　原査定の拒絶の理由に引用文献１として引用された特開２０１４−３３９０５号公報（以下「刊行物２」という。）には、図面とともに次の事項が記載されている。
（２−ａ）「【要約】
【課題】
電線に対する不正行為を抑制
（２−ｂ）「【０００１】
　本発明は、例えば、パチンコ機や
スロットマシンなどの遊技機
（２−ｃ）「【００８４】
　
着脱側コネクタ７１ａに接続済みのハーネス３００がチューブ３０４に挿通された状態で、ハーネス両側の着脱側コネクタ７１ａが各基板に電気的に接続されている
・・・
【００８６】
　チューブ３０４は、筒状（円筒状あるいは角筒状）に構成されており、開口部３０４ａを有している。また、
チューブ３０４は、透明の樹脂製のものでもよく、電磁波や外部からの不正信号を遮蔽する材質のもので構成
（２−ｄ）「【０１８５】
　また、図２９〜図３６に示すように、各コネクタカバー７３、１１８、１７２、２１５とその対向部位との隙間に、ハーネス３００及びチューブ３０４に当接し引き抜きを阻止する各押さえ手段３１０が設けられているため、ハーネス３００をチューブ３０４で覆っている状態でチューブ３０４だけが引抜き方向（図２９〜図３６中矢印Ａ方向）に引っ張られた場合でも、チューブ３０４がハーネス３００に対して相対移動することを防止できる。これにより、
ハーネス３００が露出することを防止できるため、ハーネス３００に対して不正信号が付与されることを防止できる。この結果、不正行為を抑制
（２−ｅ）「【０１９０】
　コネクタカバー７３、１１８、１７２、２１５が着脱側コネクタ７１ａ、１１７ａ、１１７ｂ、１７１、２１４に当接して着脱側コネクタ７１ａ、１１７ａ、１１７ｂ、１７１、２１４の離脱を阻止する離脱規制部８１を有することにより、着脱側コネクタ７１ａ、１１７ａ、１１７ｂ、１７１、２１４の離脱あるいは引抜きを阻止することができる。これにより、
着脱側コネクタ７１ａ、１１７ａ、１１７ｂ、１７１、２１４の脱着あるいは取替えを伴う不正行為を防止
（３）対比
　本願補正発明と刊行物１発明とを対比する（下記の（ａ）〜（ｊ）は、刊行物１発明の構成に対応している。）。
（ａ）刊行物１発明の「ソケット４８」は、本願補正発明の「基板側コネクタ」に相当する。
　よって、刊行物１発明の「ソケット４８が設けられた主基板２３」は、本願補正発明の「基板側コネクタが設けられた回路基板」に相当する。
（ｂ）刊行物１発明の「主基板２３を収容する基板ボックス３０」は、本願補正発明の「前記回路基板を収納する基板ケース」に相当する。
（ｃ）刊行物１発明の「ソケット挿通穴２５６」は、ソケット４８を基板ボックス３０内から貫通するものであるから、基板ボックス３０外にソケット４８を露呈させていることは明らかである。
　よって、刊行物１発明の「基板ボックス３０に形成され、ソケット４８を基板ボックス３０内から貫通するソケット挿通穴２５６」は、本願補正発明の「前記基板ケースに形成され、前記基板側コネクタを露呈させる開口」に相当する。
（ｄ）刊行物１発明の「ケーブル８０」は、本願補正発明の「ハーネス」に相当し、刊行物１発明の「コネクタ８１」は、ケーブルの８０の先端に設けられ、ソケット挿通穴２５６を通ってソケット４８に接続されるものであるから、刊行物１発明の「コネクタ８１」と本願補正発明の「ハーネス側コネクタ」とは、「ハーネスの先端に設けられ、開口を介して基板側コネクタと係合される」点において共通する。
（ｅ）刊行物１発明の「ソケット４８とコネクタ８１の接続部」は、本願補正発明の「基板側コネクタとハーネス側コネクタとの係合部」に相当し、刊行物１発明の「ケーブル８０の先端部」は、本願補正発明の「ハーネスの先端部」に相当する。
　そして、刊行物１発明の「コネクタカバー３６０」は、ソケット４８とコネクタ８１の接続部、及び、ケーブル８０の先端部を覆うように、基板ボックス３０に取付けられているから、刊行物１発明の「コネクタカバー３６０」と本願補正発明の「封印カバー」とは、「基板側コネクタとハーネス側コネクタとの係合部、及び、ハーネスの先端部を覆うように基板ケースに取り付けられる」点において共通する。
（ｆ）コネクタの接続を解除する際に、コネクタを押し込んで接続する方向と反対の方向にコネクタを引っ張ってコネクタを移動させることは自明の事項であるから、刊行物１発明の「コネクタ８１」の接続を解除する際には、コネクタ８１の接続方向と反対方向、すなわち、主基板２３から主基板２３とは反対の方向に向かって略垂直方向にコネクタ８１を引っ張って、コネクタ８１を主基板２３から離れるように略垂直方向に移動させることは明らかである。
　よって、刊行物１発明の「コネクタ８１は、先端部を主基板２３に向けた状態でソケット４８に接続され、コネクタ８１は、主基板２３とは反対の方向から主基板２３に向かって略垂直方向に押し込まれることよりソケット４８に接続され」は、本願補正発明の「前記ハーネス側コネクタは、先端部を回路基板へ向けた状態で前記基板側コネクタに係合されており、前記係合を解除する際には、前記回路基板から略垂直に遠ざかる方向である係合解除方向に移動され」に相当する。
（ｇ）刊行物１発明の「間隙」はコネクタカバー３６０と主基板２３との間に形成されるとともに、コネクタカバー３６０の外部へケーブル８０を引き出す際に通るものであり、本願補正発明の「隙間」に相当する。
　よって、刊行物１発明の「コネクタカバー３６０と主基板２３との間には、コネクタカバー３６０の外部へケーブル８０を引き出す際に通る間隙が形成され」は、本願補正発明の「前記封印カバーと前記回路基板との間には、前記封印カバーの内部から前記封印カバーの外部へ向かう前記ハーネスが通るための隙間が形成され」に相当する。
（ｈ）刊行物１発明の「コネクタ８１の前面」はケーブル８０との接続部分であるコネクタの後端部であるから、刊行物１発明の「コネクタ８１の前面」は、本願補正発明の「ハーネス側コネクタの後端部」に相当する。また、「コネクタ８１」は主基板２３の方向に向かって接続されるものであり、コネクタを接続方向とは逆の方向に引っ張って移動させて接続を解除することは自明な事項であることから、「主基板２３へ向かう経路」は、コネクタの接続方向、すなわち、接続解除方向とは反対の方向であり、刊行物１発明の「コネクタ８１の前面から主基板２３へ向かう経路で間隙を抜け」る経路は、本願補正発明の「ハーネス側コネクタの後端部から隙間へ向けて係合解除方向とは反対の回路基板へ向かう経路」に相当する。
　よって、刊行物１発明の「ケーブル８０は先端部がコネクタ８１の前面に接続されており、コネクタ８１の前面から主基板２３へ向かう経路で間隙を抜けてコネクタカバー３６０の外部に出て」は、本願補正発明の「前記ハーネスは、先端部が前記ハーネス側コネクタの後端部に接続されており、前記ハーネス側コネクタの後端部から前記隙間へ向けて前記係合解除方向とは反対の前記回路基板へ向かう経路を経由し、前記隙間を介して前記封印カバーの外部に露呈され」に相当する。
（ｉ）刊行物１発明の「基板ボックス３０」の内部には主基板２３が収納されており、基板ボックス３０の内部に向かう方向は主基板２３側に向けた方向であることから、刊行物１発明の「基板ボックス３０の前壁３１から基板ボックス３０の内部に向けて一段下がるように形成された矩形凹部２０８」は、本願補正発明の「基板ケースの背面から回路基板側へ向けて一段窪むように形成されたコネクタ露呈部」に相当する。
　よって、刊行物１発明の「間隙は、基板ボックス３０の前壁３１から基板ボックス３０の内部に向けて一段下がるように形成された矩形凹部２０８のコネクタ収容室２６０に設けられ」は、本願補正発明の「前記隙間は、前記基板ケースの背面から前記回路基板側へ向けて一段窪むように形成されたコネクタ露呈部内に設けられ」に相当する。
（ｊ）刊行物１発明の「ケーブル８０」は、矩形凹部２０８内のコネクタ収容室２６０から最終的に表示制御装置等の他のサブ基板に向かっており、刊行物１発明の「間隙からコネクタカバー３６０の外部に出た後、略垂直に主基板２３から離れる方向で矩形凹部２０８内のコネクタ収容室２６０の外部に出」ることは、最終的に矩形凹部２０８の外に出るためのものであることは明らかであるから、刊行物１発明の「間隙からコネクタカバー３６０の外部に出た後、略垂直に主基板２３から離れる方向で矩形凹部２０８内のコネクタ収容室２６０の外部に出て」は、本願補正発明の「前記隙間を介して前記封印カバーの外部に露呈された後、前記コネクタ露呈部から脱するために、前記回路基板から略垂直に遠ざかる方向へ向かう経路を経由し、前記コネクタ露呈部の外部に露呈される」に相当する。
　また、刊行物１発明の「スロットマシン」は遊技機の一種であるから、本願補正発明の「遊技機」に相当する。
　よって、刊行物１発明の「ケーブル８０は、間隙からコネクタカバー３６０の外部に出た後、略垂直に主基板２３から離れる方向で矩形凹部２０８内のコネクタ収容室２６０の外部に出て、その後、表示制御装置等の他のサブ基板に向かう、スロットマシン」は、本願補正発明の「前記ハーネスは、前記隙間を介して前記封印カバーの外部に露呈された後、前記コネクタ露呈部から脱するために、前記回路基板から略垂直に遠ざかる方向へ向かう経路を経由し、前記コネクタ露呈部の外部に露呈される」「遊技機」に相当する。
　したがって、本願補正発明と刊行物１発明とは、
「Ａ　基板側コネクタが設けられた回路基板と、
Ｂ　前記回路基板を収納する基板ケースと、
Ｃ　前記基板ケースに形成され、前記基板側コネクタを露呈させる開口と、
Ｄ’ハーネスの先端に設けられ、前記開口を介して前記基板側コネクタと係合されるハーネス側コネクタと、
Ｅ’前記基板側コネクタと前記ハーネス側コネクタとの係合部、及び、前記ハーネスの先端部を覆うように前記基板ケースに取り付けられる封印カバーとを備え、
Ｆ　前記ハーネス側コネクタは、先端部を回路基板へ向けた状態で前記基板側コネクタに係合されており、前記係合を解除する際には、前記回路基板から略垂直に遠ざかる方向である係合解除方向に移動され、
Ｇ　前記封印カバーと前記回路基板との間には、前記封印カバーの内部から前記封印カバーの外部へ向かう前記ハーネスが通るための隙間が形成され、
Ｈ　前記ハーネスは、先端部が前記ハーネス側コネクタの後端部に接続されており、前記ハーネス側コネクタの後端部から前記隙間へ向けて前記係合解除方向とは反対の前記回路基板へ向かう経路を経由し、前記隙間を介して前記封印カバーの外部に露呈され、
Ｉ　前記隙間は、前記基板ケースの背面から前記回路基板側へ向けて一段窪むように形成されたコネクタ露呈部内に設けられ、
Ｊ　前記ハーネスは、前記隙間を介して前記封印カバーの外部に露呈された後、前記コネクタ露呈部から脱するために、前記回路基板から略垂直に遠ざかる方向へ向かう経路を経由し、前記コネクタ露呈部の外部に露呈される、遊技機。」
である点で一致し、以下の点で相違する。
［相違点１］
　本願補正発明は、ハーネスが「保護チューブ内に挿通され」るとともに、封印カバーが「保護チューブの先端とハーネス側コネクタとの間から露呈したハーネスの先端部」を覆うのに対して、刊行物１発明はそのように構成されていない点。（構成Ｄ、Ｅ）
（４）判断
ア　上記相違点１について検討する。
　刊行物２の段落【０００１】、【００８４】、【００８６】、【０１８５】、【０１９０】、図１５、図２９には、ハーネスを不正防止用のチューブに挿通するとともに、チューブの先端と着脱側コネクタとの間から露出したハーネスの先端部をコネクタカバーで覆う遊技機が記載されている（以下「刊行物２記載の事項」という。）。
　刊行物１発明及び刊行物２記載の事項は、いずれもハーネスやコネクタに対する不正を防止することを課題とし、ハーネスの先端のコネクタ接続部をカバーで覆う遊技機である点で共通するものである。
　よって、刊行物１発明に刊行物２記載の事項を適用し、ハーネスを不正防止用のチューブに挿通するとともに、封印カバーでチューブの先端とハーネス側コネクタとの間から露出したハーネスの先端部を覆うように構成し、上記相違点１に係る本願補正発明の構成とすることは、当業者が容易になし得たことである。
イ　本願補正発明が奏する効果について
　上記相違点によって本願補正発明が奏する効果は、当業者が刊行物１発明及び刊行物２記載の事項から予測し得る程度のものであって、格別のものではない。　
ウ　請求人の主張について
　請求人は、審判請求書において「一方、本願発明は、『ハーネスが、上述した１回目のＵターンの後、さらに反対側に２回目のＵターンを行う経路を介して接続先に向かう構成』を有していますが、引用文献１は、このような構成を有していません。
　そして、『ハーネスが２回のＵターンを行う』といった引用文献１には無い構成を有する本願発明によれば、ハーネスの強引な引き抜きなどの不正行為をより確実に防止することが出来るといった引用文献１では得られない作用効果を得られます。
　また、本願発明は、『ハーネスが封印カバーから露呈する際に通る隙間が、基板ケースの背面から回路基板側へ向けて一段窪むように形成されたコネクタ露呈部内に設けられているといった構成』を有していますが、引用文献１は、このような構成を有していません。
　そして、このような引用文献１には無い構成を有する本願発明によれば、隙間（ハーネスが封印カバーから露呈する際に通る隙間）にアクセスして（工具や指を差し込むなどして）不正行為を行うといったことが困難であり、さらに確実に不正行為を防止できるといった引用文献１では得られない作用効果を得られます。」と主張する（第３頁第１７行〜第４頁第４行）。
　しかしながら、当審において新たに引用した刊行物１発明は、ケーブル８０がコネクタ８１の前面から間隙に向かって主基板２３へ向かう経路で間隙からコネクタカバー３６０の外部へ引き出された後、略垂直に主基板２３から離れる方向で外部に向かうＳ字状の経路で引き出されるものであり、請求人が主張する「ハーネスが２回のＵターンを行う」に相当するものである（構成ｈ、ｊ）。
　また、刊行物１発明は、ケーブル８０がコネクタカバー３６０の外部へ引き出される際に通る間隙が基板ボックス３０の前壁３１から基板ボックス３０の内部に向けて一段下がるように形成された矩形凹部２０８に設けられるものであるとともに（構成ｉ）、刊行物１の段落【０１５１】には「ケーブル８０は剛性ブロック部３９０により経路を規制されてＳ字状にコネクタ８１に接続しているので、針金などを使用してもケーブル引出し口８５から直接ケーブル８０とコネクタ８１の接続部やコネクタ８１とソケット４８の接続部にアクセスすることができない。」と記載されているように、刊行物１発明がコネクタへの不正なアクセスを防止する効果を有する点についても記載されている。
　よって、請求人の上記主張は採用できない。
（５）まとめ
　以上のように、本願補正発明は、当業者が刊行物１発明及び刊行物２記載の事項に基づいて容易に発明をすることができたものであるから、特許法第２９条第２項の規定により、特許出願の際独立して特許を受けることができない。
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項１に係る発明は、平成２９年３月１５日付け手続補正書により補正された特許請求の範囲の請求項１に記載されたとおりのものであるところ、請求項１に係る発明（以下「本願発明」という。当審において、Ａ〜Ｈに分説した。）は、次のとおりである。
「【請求項１】
Ａ　基板側コネクタが設けられた回路基板と、
Ｂ　前記回路基板を収納する基板ケースと、
Ｃ　前記基板ケースに形成され、前記基板側コネクタを露呈させる開口と、
Ｄ　保護チューブ内に挿通されたハーネスの先端に設けられ、前記開口を介して前記基板側コネクタと係合されるハーネス側コネクタと、
Ｅ　前記基板側コネクタと前記ハーネス側コネクタとの係合部、及び、前記保護チューブの先端と前記ハーネス側コネクタとの間から露呈した前記ハーネスの先端部を覆うように前記基板ケースに取り付けられる封印カバーとを備え、
Ｆ　前記ハーネス側コネクタは、先端部を回路基板へ向けた状態で前記基板側コネクタに係合されており、前記係合を解除する際には、前記回路基板から略垂直に遠ざかる方向である係合解除方向に移動され、
Ｇ　前記封印カバーと前記回路基板との間には、前記封印カバーの内部から前記封印カバーの外部へ向かう前記ハーネスが通るための隙間が形成され、
Ｈ　前記ハーネスは、先端部が前記ハーネス側コネクタの後端部に接続されており、前記ハーネス側コネクタの後端部から前記隙間へ向けて前記係合解除方向とは反対の前記回路基板へ向かう経路を経由し、前記隙間を介して前記封印カバーの外部に露呈されることを特徴とする遊技機。」
２　刊行物
　原査定の拒絶の理由に引用文献１として引用された刊行物２には、図面とともに以下の事項が記載されている。
（２−ａ）「【要約】
【課題】
電線に対する不正行為を抑制
（２−ｂ）「【０００１】
　
本発明は、例えば、パチンコ機やスロットマシンなどの遊技機に関する
（２−ｃ）「【００３３】
・・・
また、前カバー２８の後側には、
中継基板（基板）４８が収容された中継基板ケース（収容部材）４９
（２−ｄ）「【００８４】
　
着脱側コネクタ７１ａに接続済みのハーネス３００がチューブ３０４に挿通された状態で、ハーネス両側の着脱側コネクタ７１ａが各基板に電気的に接続されている。例えば、一方の着脱側コネクタ７１ａが主制御基板１２に電気的に接続された構成では、他方の着脱側コネクタ７１ａがサブ制御基板（副制御基板）に対して電気的に接続される
・・・
【００８６】
　チューブ３０４は、筒状（円筒状あるいは角筒状）に構成されており、開口部３０４ａを有している。また、
チューブ３０４は、透明の樹脂製のものでもよく、電磁波や外部からの不正信号を遮蔽する材質のもので構成してもよい
（２−ｅ）「【００９５】
　
中継基板ケース４９は、図１１〜図１５に示すように、取り付け部１０１側が開放する矩形蓋状であって、中継基板４８の外周に嵌合する周壁１０６と中継基板４８の表面側に対向する背壁１０７とを一体に備え
・・・
【００９７】
　また、
背壁１０７には、その外縁に沿って複数の露出用凹部１１３が形成されている。各露出用凹部１１３は、背壁１０７側だけでなく周壁１０６側にも開放されており、その底部には中継基板４８側の固定側コネクタ１１４を露出させるためのコネクタ孔１１５が設けられている
（２−ｆ）「【００９８】
　また、中継基板４８の上縁側に設けられた５つの固定側コネクタ１１４は、中継基板４８の板面に平行且つ外向き（上向き）に配置されている。また、
下縁側の１つの固定側コネクタ１１４は、中継基板４８の板面に垂直に配置されている。各固定側コネクタ１１４には、ハーネス３００に設けられた着脱側コネクタ１１７が着脱可能に接続されるようになっている
【００９９】
　
中継基板ケース４９には、中継基板４８に設けられた複数の固定側コネクタ１１４のうち、例えば上縁側中央の固定側コネクタ１１４ａと、下縁側の固定側コネクタ１１４ｂと、に対応してコネクタカバー（カバー部材）１１８が着脱自在に装着されている
【０１００】
　
コネクタカバー１１８は、図１１〜図１５に示すように、中継基板ケース４９側の背壁１０７に沿う略平板状の本体部１２１と、この本体部１２１の縁部から中継基板ケース４９側の周壁１０６に沿って延設された第１離脱阻止部１２２と、中継基板ケース４９側に着脱自在に装着するためのヒンジ爪（係合部）１２３及び係合爪（係合部）１２４と、を例えば一体に備えている
【０１０１】
　
本体部１２１は、少なくとも１つ、例えば全ての固定用凹部１１１を外側から略閉鎖するようにその内側のビス１０２を覆う固定部材カバー部１２１ａと、固定側コネクタ１１４ｂに接続された着脱側コネクタ（電線側コネクタ）１１７ｂの離脱方向を覆うことにより着脱側コネクタ１１７ｂの離脱を阻止する第２離脱阻止部１２１ｂと、を一体に備えている
【０１０２】
　なお、第２離脱阻止部１２１ｂは、
固定側コネクタ１１４ｂに接続された着脱側コネクタ１１７ｂの背面１２５との間に、その背面１２５から引き出されているハーネス３００
（２−ｇ）「【０１２０】
　また、
第３押さえ手段３１６は、第２離脱阻止部１２１ｂと第２離脱阻止部１２１ｂの対向部位（例えば、中継基板ケース４９の一部分）との間で、チューブ３０４を押さえるように設計されている
（２−ｈ）「【０１８５】
　また、図２９〜図３６に示すように、
各コネクタカバー７３、１１８、１７２、２１５とその対向部位との隙間に、ハーネス３００及びチューブ３０４に当接し引き抜きを阻止する各押さえ手段３１０が設けられているため、ハーネス３００をチューブ３０４で覆っている状態でチューブ３０４だけが引抜き方向（図２９〜図３６中矢印Ａ方向）に引っ張られた場合でも、チューブ３０４がハーネス３００に対して相対移動することを防止できる。これにより、ハーネス３００が露出することを防止
（２−ｉ）「【０１８８】
　
押さえ手段３１０がコネクタカバー７３、１１８、１７２、２１５側に設けられている場合において、ハーネス３００及びチューブ３０４が引き出される押さえ手段３１０の先端とコネクタカバー７３、１１８、１７２、２１５の対向部位との隙間の寸法がハーネス３００を挿通したチューブ３０４の太さよりも小さく設定されていることにより、チューブ３０４を挟持することができる
（２−ｊ）「【０１９０】
　コネクタカバー７３、１１８、１７２、２１５が着脱側コネクタ７１ａ、１１７ａ、１１７ｂ、１７１、２１４に当接して着脱側コネクタ７１ａ、１１７ａ、１１７ｂ、１７１、２１４の離脱を阻止する離脱規制部８１を有することにより、着脱側コネクタ７１ａ、１１７ａ、１１７ｂ、１７１、２１４の離脱あるいは引抜きを阻止することができる。これにより、
着脱側コネクタ７１ａ、１１７ａ、１１７ｂ、１７１、２１４の脱着あるいは取替えを伴う不正行為を防止
（２−ｋ）段落【００９９】には、「中継基板４８に設けられた複数の固定側コネクタ１１４のうち、例えば上縁側中央の固定側コネクタ１１４ａと、下縁側の固定側コネクタ１１４ｂ」と記載されているから、刊行物２には、
固定側コネクタ１１４ｂが設けられた中継基板４８
（２−ｌ）段落【００３３】には、「中継基板（基板）４８が収容された中継基板ケース（収容部材）４９」と記載されているから、刊行物２には、
中継基板４８を収容する中継基板ケース４９
（２−ｍ）段落【００９５】には、「中継基板ケース４９は、図１１〜図１５に示すように、取り付け部１０１側が開放する矩形蓋状であって、中継基板４８の外周に嵌合する周壁１０６と中継基板４８の表面側に対向する背壁１０７とを一体に備え」と記載され、段落【００９７】には「背壁１０７には、その外縁に沿って複数の露出用凹部１１３が形成されている。各露出用凹部１１３は、背壁１０７側だけでなく周壁１０６側にも開放されており、その底部には中継基板４８側の固定側コネクタ１１４を露出させるためのコネクタ孔１１５が設けられている」と記載されているから、刊行物２には、
中継基板ケース４９に形成され固定側コネクタ１１４を露出させるコネクタ孔１１５
（２−ｎ）段落【００８４】には、「着脱側コネクタ７１ａに接続済みのハーネス３００がチューブ３０４に挿通された状態で、ハーネス両側の着脱側コネクタ７１ａが各基板に電気的に接続されている。」と記載され、【００８６】には「チューブ３０４は、透明の樹脂製のものでもよく、電磁波や外部からの不正信号を遮蔽する材質のもので構成してもよい」と記載され、段落【００９７】には、「中継基板４８側の固定側コネクタ１１４を露出させるためのコネクタ孔１１５が設けられている」と記載され、段落【０１０１】には「固定側コネクタ１１４ｂに接続された着脱側コネクタ（電線側コネクタ）１１７ｂ」と記載され、図１５には、チューブ３０４に挿通されたハーネス３００の先端に接続された着脱側コネクタ１１７ｂが固定側コネクタ１１４ｂに接続されることが図示されているから、刊行物２には、
不正防止用のチューブ３０４に挿通されたハーネス３００の先端に設けられ、コネクタ孔１１５から露出された固定側コネクタ１１４ｂに接続される着脱側コネクタ１１７ｂ
（２−ｏ）段落【００９９】〜【０１０１】には「中継基板ケース４９には、中継基板４８に設けられた複数の固定側コネクタ１１４のうち、例えば上縁側中央の固定側コネクタ１１４ａと、下縁側の固定側コネクタ１１４ｂと、に対応してコネクタカバー（カバー部材）１１８が着脱自在に装着されている。コネクタカバー１１８は、図１１〜図１５に示すように、中継基板ケース４９側の背壁１０７に沿う略平板状の本体部１２１と、この本体部１２１の縁部から中継基板ケース４９側の周壁１０６に沿って延設された第１離脱阻止部１２２と、中継基板ケース４９側に着脱自在に装着するためのヒンジ爪（係合部）１２３及び係合爪（係合部）１２４と、を例えば一体に備えている。本体部１２１は、少なくとも１つ、例えば全ての固定用凹部１１１を外側から略閉鎖するようにその内側のビス１０２を覆う固定部材カバー部１２１ａと、固定側コネクタ１１４ｂに接続された着脱側コネクタ（電線側コネクタ）１１７ｂの離脱方向を覆うことにより着脱側コネクタ１１７ｂの離脱を阻止する第２離脱阻止部１２１ｂと、を一体に備えている」と記載され、段落【０１８５】には「各コネクタカバー７３、１１８、１７２、２１５とその対向部位との隙間に、ハーネス３００及びチューブ３０４に当接し引き抜きを阻止する各押さえ手段３１０が設けられているため、ハーネス３００をチューブ３０４で覆っている状態でチューブ３０４だけが引抜き方向（図２９〜図３６中矢印Ａ方向）に引っ張られた場合でも、チューブ３０４がハーネス３００に対して相対移動することを防止できる。これにより、ハーネス３００が露出することを防止」と記載され、図１５には、コネクタカバー１１８が固定側コネクタ１１４ｂと着脱側コネクタ１１７ｂとの接続部、チューブ３０４の先端と着脱側コネクタ１１７ｂとの間から露出したハーネス３００の先端部を覆うことが図示されているから、刊行物２には、
固定側コネクタ１１４ｂと着脱側コネクタ１１７ｂとの接続部、チューブ３０４の先端と着脱側コネクタ１１７ｂとの間から露出したハーネス３００の先端部を覆うように中継基板ケース４９に装着されるコネクタカバー１１８
（２−ｐ）段落【００９８】には、「下縁側の１つの固定側コネクタ１１４は、中継基板４８の板面に垂直に配置されている。各固定側コネクタ１１４には、ハーネス３００に設けられた着脱側コネクタ１１７が着脱可能に接続されるようになっている」と記載され、段落【００９９】には、「中継基板４８に設けられた複数の固定側コネクタ１１４のうち、例えば上縁側中央の固定側コネクタ１１４ａと、下縁側の固定側コネクタ１１４ｂ」と記載され、段落【０１０１】には「固定側コネクタ１１４ｂに接続された着脱側コネクタ（電線側コネクタ）１１７ｂの離脱方向を覆うことにより着脱側コネクタ１１７ｂの離脱を阻止する第２離脱阻止部１２１ｂ」と記載され、図１５には、着脱側コネクタ１１７ｂが先端部を中継基板４８に向けた状態で固定側コネクタ１１４ｂに接続されること、第２離脱阻止部１２１ｂが着脱側コネクタ１１７ｂを中継基板４８の反対側から中継基板４８に向かって略垂直方向に覆うことが図示されているから、刊行物２には、
着脱側コネクタ１１７ｂは、先端部を中継基板４８に向けた状態で固定側コネクタ１１４ｂに接続されること、着脱側コネクタ１１７ｂの離脱方向は中継基板４８から中継基板４８の反対側へ向けて略垂直方向であること
（２−ｑ）段落【０１２０】には「第３押さえ手段３１６は、第２離脱阻止部１２１ｂと第２離脱阻止部１２１ｂの対向部位（例えば、中継基板ケース４９の一部分）との間で、チューブ３０４を押さえるように設計されている」と記載され、段落【０１８８】には「押さえ手段３１０がコネクタカバー７３、１１８、１７２、２１５側に設けられている場合において、ハーネス３００及びチューブ３０４が引き出される押さえ手段３１０の先端とコネクタカバー７３、１１８、１７２、２１５の対向部位との隙間の寸法がハーネス３００を挿通したチューブ３０４の太さよりも小さく設定されていることにより、チューブ３０４を挟持することができる」と記載され、図１５には、コネクタカバー１１８の押さえ手段３１６（３１０）と対向部位との間の隙間からハーネス３００を挿通したチューブ３０４が外部に引き出されること、隙間はコネクタカバー１１８と中継基板４８との間に形成されることが図示されているから、刊行物２には、
コネクタカバー１１８と中継基板４８との間には、コネクタカバー１１８の内部からコネクタカバー１１８の外部に向かうハーネス３００を挿通したチューブ３０４が通るための隙間が形成されること
（２−ｒ）段落【０００１】には、「本発明は、例えば、パチンコ機やスロットマシンなどの遊技機に関する」と記載され、段落【０１０２】には「固定側コネクタ１１４ｂに接続された着脱側コネクタ１１７ｂの背面１２５との間に、その背面１２５から引き出されているハーネス３００」と記載され、図１５には、ハーネス３００の先端部が着脱側コネクタ１１７ｂの背面１２５に接続され、ハーネスは３００は着脱側コネクタ１１７ｂの背面１２５から中継基板４８側に向かう経路を経由して隙間を通ってコネクタカバー１１８の外部に引き出されることが図示されているから、刊行物２には、
ハーネス３００は、先端部が着脱側コネクタ１１７ｂの背面１２５に接続され、着脱側コネクタ１１７ｂの背面１２５から中継基板４８側に向かう経路を経由して隙間を通ってコネクタカバー１１８の外部に引き出される、スロットマシン
　上記（２−ａ）〜（２−ｊ）の記載事項及び（２−ｋ）〜（２−ｒ）の認定事項を総合すると、刊行物２には、次の発明が記載されていると認められる（以下「刊行物２発明」という。）。
「ａ　固定側コネクタ１１４が設けられた中継基板４８と（認定事項（２−ｋ））、
ｂ　中継基板４８を収容する中継基板ケース４９と（認定事項（２−ｌ））、
ｃ　中継基板ケース４９に形成され固定側コネクタ１１４を露出させるコネクタ孔１１５と（認定事項（２−ｍ））、
ｄ　不正防止用のチューブ３０４に挿通されたハーネス３００の先端に設けられ、コネクタ孔１１５から露出された固定側コネクタ１１４ｂに接続される着脱側コネクタ１１７ｂと（認定事項（２−ｎ））、
ｅ　固定側コネクタ１１４ｂと着脱側コネクタ１１７ｂとの接続部、チューブ３０４の先端と着脱側コネクタ１１７ｂとの間から露出したハーネス３００の先端部を覆うように中継基板ケース４９に装着されるコネクタカバー１１８と、（認定事項（２−ｏ））
ｆ　着脱側コネクタ１１７ｂは、先端部を中継基板４８に向けた状態で固定側コネクタ１１４ｂに接続され、着脱側コネクタ１１７ｂの離脱方向は中継基板４８から中継基板４８の反対側へ向けて略垂直方向であり、（認定事項（２−ｐ））
ｇ　コネクタカバー１１８と中継基板４８との間には、コネクタカバー１１８の内部からコネクタカバー１１８の外部に向かうハーネス３００を挿通したチューブ３０４が通るための隙間が形成され、（認定事項（２−ｑ））
ｈ　ハーネス３００は、先端部が着脱側コネクタ１１７ｂの背面１２５に接続され、着脱側コネクタ１１７ｂの背面１２５から中継基板４８側に向かう経路を経由して隙間を通ってコネクタカバー１１８の外部に引き出される、スロットマシン。（認定事項（２−ｒ））」
３　対比・判断
　本願発明と刊行物２発明とを対比する（下記の（ａ）〜（ｈ）は、刊行物２発明の構成に対応している。）。
（ａ）刊行物２発明の「固定側コネクタ１１４」は、本願発明の「基板側コネクタ」に相当する。
　よって、刊行物２発明の「固定側コネクタ１１４が設けられた中継基板４８」は、本願発明の「基板側コネクタが設けられた回路基板」に相当する。
（ｂ）刊行物２発明の「中継基板４８を収容する中継基板ケース４９」は、本願発明の「回路基板を収納する基板ケース」に相当する。
（ｃ）刊行物２発明の「コネクタ孔１１５」は、中継基板ケース４９に形成され固定側コネクタ１１４を露出させている。
　よって、刊行物２発明の「中継基板ケース４９に形成され固定側コネクタ１１４を露出させるコネクタ孔１１５」は、本願発明の「基板ケースに形成され、基板側コネクタを露呈させる開口」に相当する。
（ｄ）刊行物２発明の「不正防止用のチューブ３０４に挿通されたハーネス３００」は、本願発明の「保護チューブ内に挿通されたハーネス」に相当する。
　よって、刊行物２発明の「不正防止用のチューブ３０４に挿通されたハーネス３００の先端に設けられ、コネクタ孔１１５から露出された固定側コネクタ１１４ｂに接続される着脱側コネクタ１１７ｂ」は、本願発明の「保護チューブ内に挿通されたハーネスの先端に設けられ、前記開口を介して前記基板側コネクタと係合されるハーネス側コネクタ」に相当する。
（ｅ）刊行物２発明の「固定側コネクタ１１４ｂと着脱側コネクタ１１７ｂとの接続部」は、本願発明の「基板側コネクタとハーネス側コネクタとの係合部」に相当し、刊行物２発明の「チューブ３０４の先端と着脱側コネクタ１１７ｂとの間から露出したハーネス３００の先端部」は、本願発明の「前記保護チューブの先端と前記ハーネス側コネクタとの間から露呈した前記ハーネスの先端部」に相当する。
　よって、刊行物２発明の「固定側コネクタ１１４ｂと着脱側コネクタ１１７ｂとの接続部、チューブ３０４の先端と着脱側コネクタ１１７ｂとの間から露出したハーネス３００の先端部を覆うように中継基板ケース４９に装着されるコネクタカバー１１８」は、本願発明の「前記基板側コネクタと前記ハーネス側コネクタとの係合部、及び、前記保護チューブの先端と前記ハーネス側コネクタとの間から露呈した前記ハーネスの先端部を覆うように前記基板ケースに取り付けられる封印カバー」に相当する。
（ｆ）刊行物２発明の「着脱側コネクタ１１７ｂの離脱方向」は中継基板４８から中継基板４８の反対側へ向けて略垂直方向であることから、着脱側コネクタ１１７ｂを離脱する際には、着脱側コネクタ１１７ｂを中継基板４８から中継基板４８の反対側へ略垂直方向に、着脱側コネクタ１１７ｂが中継基板４８から遠ざかるように移動させることは明らかである。
　よって、刊行物２発明の「着脱側コネクタ１１７ｂは、先端部を中継基板４８に向けた状態で固定側コネクタ１１４ｂに接続され、着脱側コネクタ１１７ｂの離脱方向は中継基板４８から中継基板４８の反対側へ向けて略垂直方向であり」は、本願発明の「ハーネス側コネクタは、先端部を回路基板へ向けた状態で基板側コネクタに係合されており、係合を解除する際には、回路基板から略垂直に遠ざかる方向である係合解除方向に移動され」に相当する。
（ｇ）刊行物２発明のコネクタカバー１１８と中継基板４８との間に形成されるとともに、コネクタカバー１１８の外部へハーネス３００を引き出す際に通る「隙間」は、本願発明の「隙間」に相当する。
　よって、刊行物２発明の「コネクタカバー１１８と中継基板４８との間には、コネクタカバー１１８の内部からコネクタカバー１１８の外部に向かうハーネス３００を挿通したチューブ３０４が通るための隙間が形成され」は、本願発明の「封印カバーと回路基板との間には、封印カバーの内部から封印カバーの外部へ向かうハーネスが通るための隙間が形成され」に相当する。
（ｈ）刊行物２発明の「着脱側コネクタ１１７ｂの背面１２５」はハーネス３００との接続部分である着脱側コネクタ１１７ｂの後端部であるから、刊行物２発明の「着脱側コネクタ１１７ｂの背面１２５」は、本願発明の「ハーネス側コネクタの後端部」に相当する。そして、「着脱側コネクタ１１７ｂ」は中継基板４８側とは反対の方向に移動することにより接続が解除されるものであるから、中継基板４８側に向かう方向は、接続解除方向とは反対の方向であるので、刊行物２発明の「着脱側コネクタ１１７ｂの背面１２５から中継基板４８側に向かう経路を経由して隙間を通」る経路は、本願発明の「ハーネス側コネクタの後端部から隙間へ向けて係合解除方向とは反対の回路基板へ向かう経路」に相当する。
　また、刊行物２発明の「スロットマシン」は遊技機の一種であるから、本願発明の「遊技機」に相当する。
　よって、刊行物２発明の「ハーネス３００は、先端部が着脱側コネクタ１１７ｂの背面１２５に接続され、着脱側コネクタ１１７ｂの背面１２５から中継基板４８側に向かう経路を経由して隙間を通ってコネクタカバー１１８の外部に引き出される、スロットマシン」は、本願発明の「前記ハーネスは、先端部が前記ハーネス側コネクタの後端部に接続されており、前記ハーネス側コネクタの後端部から前記隙間へ向けて前記係合解除方向とは反対の前記回路基板へ向かう経路を経由し、前記隙間を介して前記封印カバーの外部に露呈されることを特徴とする遊技機。」に相当する。
　したがって、本願発明と刊行物２発明とは、
「Ａ　基板側コネクタが設けられた回路基板と、
Ｂ　前記回路基板を収納する基板ケースと、
Ｃ　前記基板ケースに形成され、前記基板側コネクタを露呈させる開口と、
Ｄ　保護チューブ内に挿通されたハーネスの先端に設けられ、前記開口を介して前記基板側コネクタと係合されるハーネス側コネクタと、
Ｅ　前記基板側コネクタと前記ハーネス側コネクタとの係合部、及び、前記保護チューブの先端と前記ハーネス側コネクタとの間から露呈した前記ハーネスの先端部を覆うように前記基板ケースに取り付けられる封印カバーとを備え、
Ｆ　前記ハーネス側コネクタは、先端部を回路基板へ向けた状態で前記基板側コネクタに係合されており、前記係合を解除する際には、前記回路基板から略垂直に遠ざかる方向である係合解除方向に移動され、
Ｇ　前記封印カバーと前記回路基板との間には、前記封印カバーの内部から前記封印カバーの外部へ向かう前記ハーネスが通るための隙間が形成され、
Ｈ　前記ハーネスは、先端部が前記ハーネス側コネクタの後端部に接続されており、前記ハーネス側コネクタの後端部から前記隙間へ向けて前記係合解除方向とは反対の前記回路基板へ向かう経路を経由し、前記隙間を介して前記封印カバーの外部に露呈されることを特徴とする遊技機。」
である点で一致する。
　よって、本願発明は、刊行物２発明である。仮に、本願発明と刊行物２発明に相違点があるとしても、本願発明は刊行物２発明から当業者が容易に発明をすることのできたものである。
４　むすび
　以上のとおりであるから、本願発明は、特許法第２９条第１項第３号に該当し、特許を受けることができない。又は、本願発明は、特許法第２９条第２項の規定により特許を受けることができない。
　したがって、本願は、拒絶されるべきものである。
　よって、結論のとおり審決する。